(57)【要約】【課題】アッパーケースをロアケースから吊り下げた状態に支持する連結部材の外れを防止する。【解決手段】アッパーケース３の第２連結部１１の抜け止め手段が、一対の掛合片１５の各掛け片部１５ｂの先端部に外向きに突設され、連結部材９を引っ掛けて当該連結部材９が掛け片部１５ｂから外れることを阻止する爪部１７と、一対の掛合片１５の各掛け片部１５ｂの外側部に、爪部１７の根元部分に位置して形成され、連結部材９の侵入を許容する凹部１８と、を備えるので、アッパーケース３をロアケース２から取り外した際、連結部材９が掛合片１５から抜け出ようとすると、凹部１８に入り込んで爪部１７に引っ掛かるので、掛け片部１５ｂと突片部１４との間の隙間１６から連結部材９が抜け出ることが防止される。【選択図】図３
2010056369.tif 000002
【特許請求の範囲】
【請求項１】
壁面に固定される第１ケースと、
前記第１ケースに、当該第１ケースの前面の開口部を閉鎖するように着脱可能に取り付けられる第２ケースと、
前記第１ケースの下部内側に同一辺の左右に隔てて形成された複数の第１連結部と、
前記第２ケースの下部内側に、前記第１ケースの前記各第１連結部と組をなすように、左右に隔てて形成された複数の第２連結部と、
柔軟な線条材によりループ状に形成され、互いに組をなす前記第１ケースの前記各第１連結部と前記第２ケースの前記各第２連結部との間に掛け渡されて前記第１ケースから取り外された前記第２ケースを、表裏および上下が逆となるように、前記第１ケースから吊り下げた状態に支持する複数の連結部材と、を備えたホームセキュリティ装置の筐体において、
前記第２ケースの前記各第２連結部は、
前記第２ケースの前面部の内面から立ち上がる突片部と、
前記突片部の左右両側にあって、前記第２ケースの前面部の内面から立ち上がる基片部および当該基片部から前記第２ケースを上下逆にしたとき下向きとなるように延びる掛け片部からなるＬ字形をなし、前記掛け片部と前記突片部との間に前記連結部を構成する前記線条材が通過可能な隙間を有した一対の掛合片と、
前記一対の掛合片の前記掛け片部と前記第２ケースの前面部の内面との間に挿入され且つ前記突片部の両側に存する前記隙間を前記掛け片部の先端側から前記基片部側へ通過して当該突片部よりも前記基片部側に位置された前記連結部材が、前記隙間を逆方向に通過して前記突片部よりも前記掛け片部の先端側に抜け出ることを防止する抜け止め手段とを備え、
前記第２ケースの前記各第２連結部のうち少なくとも一つの第２連結部の前記抜け止め手段は、
前記一対の掛合片の前記各掛け片部の先端部に外向きに突設され、前記連結部材を引っ掛けて当該連結部材が前記掛合片の両側の前記隙間を前記基片部側から前記掛け片部の先端側に通過することを阻止する爪部と、
前記一対の掛合片の前記各掛け片部の外側部に、前記爪部の根元部分に位置して形成され、前記連結部材の侵入を許容する凹部と、
を備えることを特徴とするホームセキュリティ装置の筐体。
【請求項２】
前記突片部は、前記掛け片部の先端部側に位置していることを特徴とする請求項１記載のホームセキュリティ装置の筐体。
【請求項３】
前記凹部は、前記爪部に向かって次第に深くなることを特徴とする請求項１記載のホームセキュリティ装置の筐体。
【請求項４】
前記第２ケースが前記第１ケースの前記開口部を閉鎖するように取り付けられた状態において、前記第２ケースの前記各第２連結部は、組となる前記第１ケースの前記各第１連結部に対し、左方または右方にずれた位置に設けられていることを特徴とする請求項１ないし３のいずれかに記載のホームセキュリティ装置の筐体。
【発明の詳細な説明】
【技術分野】
【０００１】
本発明は、壁面に固定される第１ケースに対して第２ケースを連結部材によって吊り下げ状態に支持するホームセキュリティ装置の筐体に関するものである。
【背景技術】
【０００２】
ホームセキュリティ装置の筐体は、壁面に固定されるロアケースと、このロアケースの前面の開口部を閉鎖するアッパーケースとからなる。ロアケース内には、警備会社へ電話通報するためのモデム、戸締りセンサや煙センサなどの各種センサと通信するための無線装置などの電子装置が収納されている。
このホームセキュリティ装置を購入して設置する場合、或いは、センサを増設する場合などにおいては、筐体内部の電子装置を初期設定する必要があり、その際には、アッパーケースをロアケースから取り外す。アッパーケースは、連結部材によってロアケースに連結されており、取り外されたアッパーケースは、その連結部材によって吊り下げられた状態に支持されるようになっている。
【０００３】
特許文献１には、壁面に固定されたロアケースに対し、アッパーケースを、紐の両端を結んでループ状に形成した連結部材により連結し、ロアケースから取り外されたアッパーケースを連結部材によって吊り下げ状態に支持するように構成した筐体構造が開示されている。
【特許文献１】特開２００８−１２４２０１号公報（図１１および図１２参照）
【発明の開示】
【発明が解決しようとする課題】
【０００４】
特許文献１では、取り外されるアッパーケースにループ状の連結部材を連結するために、アッパーケース内に配設された電子装置を隠すカバーの取付脚部を利用する構成を採用している。つまり、アッパーケースの前面部の内面に取付脚部と突設されており、カバーの取り付け前に、その取付脚部にループ状の連結部材を掛け、その後にカバーを取付脚部にねじ止めするようにしている。この構成では、連結部材の取付脚部からの抜けがカバーによって阻止される。
【０００５】
しかしながら、この特許文献１に開示された構成では、内カバーを取付脚部にねじ止めする前に、予めループ状に結ばれた連結部材を取付脚部に通しておかねばならない。これを忘れると、ループ状の連結部材を取付脚部に掛けることができなくなるので、一旦ループを解いて１本の紐にし、その紐を取付脚部に巻いて両端を結ばねばならず、大変面倒なものとなってしまう。
【０００６】
本発明は上記の事情に鑑みてなされたもので、その目的は、第１ケースから取り外される第２ケースの連結部にループ状の連結部材を掛ける場合、ループ状のままで連結部に掛けることができ、しかも、連結部から外れる恐れがないホームセキュリティ装置の筐体を提供することにある。
【課題を解決するための手段】
【０００７】
請求項１の発明では、第２ケースの第２連結部の抜け止め手段が、一対の掛合片の各掛け片部の先端部に外向きに突設され、連結部材を引っ掛けて当該連結部材が突片部の両側の隙間を基片部側から掛け片部の先端側に通過することを阻止する爪部と、一対の掛合片の各掛け片部の外側部に、爪部の根元部分に位置して形成され、連結部材の侵入を許容する凹部と、を備えるので、第２ケースを第１ケースから取り外した際、連結部材が掛合片から抜け出ようとすると、凹部に入り込んで爪部に引っ掛かるので、掛け片部と突片部との間の隙間から連結部材が抜け出ることが防止される。
【０００８】
請求項２の発明では、突片部が掛け片部の先端側に位置しているので、連結部材が凹部に侵入し易くなり、掛け片部と突片部との間の隙間からの抜け止めがより確実となる。
請求項３の発明は、凹部が爪部に向かって次第に深くなっているので、連結部材が爪部により引っ掛かり易くなる。
請求項４の発明では、第２ケースの各第２連結部は、組となる第１ケースの各第１連結部に対し、左方または右方にずれているので、第２ケースを第１ケースに取り付ける際、連結部材が一方の掛合片の凹部に侵入し易くなって爪部による抜け止めがより確実になる。
【発明を実施するための最良の形態】
【０００９】
以下、本発明の一実施形態につき図面を参照しながら説明する。本発明対象であるホームセキュリティ装置は、家屋に設置された各種センサの検出状況を監視することにより、不審者の侵入、或いは、ガス漏れや火災の発生などを検知して報知するという機能を有する。
ホームセキュリティ装置の筐体１は、図１および図２に示すように、壁面Ｗに取り付けられるプラスチック製のロアケース（第１ケース）２と、このロアケース２にその前面開口部を閉鎖するように着脱可能に取り付けられる同じくプラスチック製のアッパーケース（第２ケース）３とから構成されている。なお、図１および図２は壁面Ｗに取り付けられたロアケース２からアッパーケース３を取り外した状態で示している。
【００１０】
ロアケース２内には、電源装置、各種のセンサと通信する通信装置、電話回線を通じて警備会社に異常報知をするためのモデム、制御装置などの電子装置４が収容されている。また、アッパーケース３内には、スイッチ装置や当該スイッチ装置の出力信号を処理する信号処理装置や液晶表示装置などの電気・電子装置５、警報手段としてのブザー６などが収容されている。そして、アッパーケース３内に突設されたボス部３ａ（図６参照）に、電気・電子装置５を覆うためのカバー板７が複数本のねじ８によって固定されている。
電気・電子装置５のうち、アッパーケース３内に収納されたスイッチ装置は、当該アッパーケース３の前面側から操作可能であり、また、液晶表示装置の画面は、アッパーケース３の前面側から見得るようになっている。なお、ロアケース２内の電子装置４とアッパーケース３内の電気・電子装置５とは、図示しないケーブルによって接続されている。
【００１１】
上記アッパーケース３は、ロアケース２に対して複数個、例えば２個の連結部材９によって連結されている。そして、アッパーケース３は、ロアケース２から取り外されたとき、それら２個の連結部材９によってロアケース２から吊り下げられた状態に支持されるようになっている。ここで、連結部材９によるロアケース２とアッパーケース３の連結構成について説明する。
【００１２】
まず、上記連結部材９は、柔軟な線状材、例えば紐からなり、当該紐の両端部を解けないように結んでループ状に形成したものである。この連結部材９を引っ掛けてロアケース２とアッパーケース３を連結するために、ロアケース２に第１連結部１０が設けられ、アッパーケース３に第２連結部１１が設けられている。これら第１連結部１０と第２連結部１１とは、それぞれ連結部材９と同数の複数個、この実施形態では２個ずつ設けられている。そして、第１連結部１０と第２連結部１１は、それぞれ１個ずつで１つの組を構成し、各組の第１連結部１０と第２連結部１１との間に１個の連結部材９が掛けられるようになっている。
【００１３】
ロアケース２に設けられている２個の第１連結部１０は同一構成のもので、図２に示すように、ロアケース２の後面部の内側（奥面２ａ）に、ロアケース２の下辺（同一辺）近傍に左右に隔てて形成された幅広の受け片１２からなる。受け片１２はＬ字形をなし、ロアケース２の奥面２ａから立ち上がる基片部１２ａと、この基片部１２ａから上向きに延びる掛け片部１２ｂからなる。そして、ロアケース２の奥面２ａと受け片１２との間に連結部材９を通すことにより、当該連結部材９が受け片１２の内側に掛けられる。
【００１４】
上記掛け片部１２ｂの上端部の内側には突起部１２ｃが突設されている。この突起部１２ｃとロアケース２の奥面２ａとの間は、連結部材９を構成する紐の太さよりも小さな間隙１３となっている。このため、連結部材９が間隙１３から受け片１２の内側に挿入された後は、突起部１２ｃにより連結部材９の受け片１２からの抜けが防止される。なお、連結部材９を構成する紐は平たく押し潰すことが可能で、平たく押し潰せば、連結部材９は間隙１３を通過可能となる。また、受け片１２をロアケース２の奥面２ａから離れる方向に弾性変形させれば、間隙１３が広がるので、連結部材９を間隙１３に通すことができる。
【００１５】
アッパーケース３の２個の第２連結部１１は、アッパーケース３の前面部の内側（裏面３ｂ）に、上辺近傍に左右に隔てて設けられている。この２個の第２連結部１１の左右方向の隔たりは、ロアケース２の２個の第１連結部１０の左右の隔たりと同じであるが、アッパーケース３をロアケース２に取り付けたときの状態では、第２連結部１１は、第１連結部１０に対して左または右、この実施形態では、右方にずれた位置に設けられている。つまり、図１に示すように、ロアケース２とアッパーケース３の大きさは同等で、第１連結部１０は、ロアケース２の左右方向中心に対して左右対称位置に設けられているが、第２連結部１１は、アッパーケース３の左右方向中心に対して左または右、この実施形態では、右側にずれて設けられているのである。
【００１６】
２個の第２連結部１１は、図３および図４に示すように、基本的には、突片部１４と、この突片部１４の左右両側に設けられた一対の掛合片１５からなる。一対の掛合片１５は、アッパーケース３の裏面３ｂから立ち上がる基片部１５ａと、この基片部１５ａからアッパーケース３を上下逆にしたとき下向きとなるように延びる掛け片部１５ｂからなるＬ字形をなしている。
【００１７】
前記突片部１４は、掛け片部１５ｂの先端部側に位置するようにしてアッパーケース３の裏面３ｂに突設されている。この突片部１４は、図５に示すように、突出先端が掛け片部１５ｂの表側の面と同等の位置となるような高さに設定されている。そして、この突片部１４の左右両側には、掛け片部１５ｂとの間に、連結部材９を構成する紐が通過可能な隙間１６が形成されている。連結部材９は、この隙間１６を通じて掛け片部１５ｂとアッパーケース３の裏面３ｂとの間に挿入されることにより、掛合片１５に引っ掛けられるようになっている。なお、突片部１４の両面のうち、掛け片部１５ｂの先端側の面は、外側から隙間１６を通して掛け片部１５ｂの内側に入れ易くするために傾斜面１４ａとされ、反対側の面は垂直面１４ｂとされている。
【００１８】
２個の第２連結部１１のうち、この実施形態では、左側の第２連結部１１については、前述のカバー板７が連結部材９の抜け止め手段として機能する。即ち、カバー板７は、アッパーケース３に取り付けた状態において、下辺（図１で上辺）部が掛合片１５に当接して隙間１６を塞ぐようになっており、これにより連結部材９が隙間１６を通って掛合片１５の内側から抜け出ることが防止される。
【００１９】
これに対し、右側の第２連結部１１についての連結部材９の抜け止め手段は、次のような構成となっている。つまり、一対の掛合片１５の掛け片部１５ｂの先端部には、外向きに突出する爪部１７が形成され、この爪部１７に連結部材９が引っ掛かることにより、連結部材９が掛合片１５の両側の隙間１６を通過できないようにする。そして、この爪部１７への連結部材９の引っ掛かりがより良く行われるようにするために、掛け片部１５ｂの外側部に、爪部１７の根元部分に位置して凹部１８が形成されている。この凹部１８は、基片部１５ａ側から爪部１７に向かって次第に深くなるように形成されて、傾斜状底面１８ａを有している。
【００２０】
次に上記構成の作用を説明する。ロアケース２とアッパーケース３とを連結部材９により連結するには、２個の連結部材９によって２組の第１連結部１０と第２連結部１１を連結する。連結部材９を第１連結部１０に連結するには、例えば、連結部材９を構成する紐を平たく潰して間隙１３に通し、受け片１２に掛ける。
一方、連結部材９を第２連結部１１に連結するには、カバー板７の取り付け前に、当該連結部材９を突片部１４と一対の掛合片１５の掛け片部１５ｂとの間の隙間１６に通し、そして、連結部材９が、突片部１４を掛け片部１５ｂの先端側から基片部１５ａ側に通過して掛け片部１５ｂの下側に入り込むようにする。この後、カバー板７をアッパーケース３にねじ８によって固定する。
【００２１】
このとき、作業順を誤って、既にカバー板７がアッパーケース３に取り付けられていたとしても、カバー板７が左側の第２連結部１１の突片部１４に当接している位置は、ボス部３ａへのねじ８による固定位置から離れているので、カバー板７の端を摘んで突片部１４から浮かしてやれば、連結部材９を通す隙間ができるので、そこから連結部材９を差し入れて突片部１４に掛けることができる。
【００２２】
さて、ホームセキュリティ装置の設置時、ロアケース２を壁面に固定し、電源コードなどの配線を行った後、センサの登録などの初期設定を行う。或いは、設置後にセンサを増設したような場合には、その増設センサの登録を行う。そのためには、アッパーケース３をロアケース２から取り外してロアケース２内の電子装置４を操作する。
ロアケース２から取り外されたアッパーケース３は、図１および図２に示すように、表裏および上下が逆となって連結部材９によりロアケース２から吊り下げられた状態に支持される。そして、所要の登録操作を行った後、再びアッパーケース３をロアケース２に取り付ける。このアッパーケース３の再取付時には、図１および図２の吊り下げ状態から、アッパーケース３を表裏および上下を反転させながら持ち上げてロアケース２に被せる。このため、第２連結部１１の掛合片１５の掛け片部１５ｂは下向きの状態から図３に示すような上向きの状態へと反転する。
【００２３】
このようなアッパーケース３の再取付時において、連結部材９が弛んで右側の第２連結部１１の突片部１４と掛け片部１５ｂとの間の隙間１６内に入り込み、そして、その隙間１６から外へ抜け出ようとすることがある。しかしながら、掛け片部１５ｂには爪部１７が形成されているので、図３に示すように、連結部材９はその爪部１７に引っ掛けられる。このとき、爪部１７がなければ、連結部材９はそのまま掛け片部１５ｂから外れて隙間１３を通過してしまう。しかし、連結部材９が爪部１７に引っ掛けられることにより、掛け片部１５ｂからの外れが阻止される。その結果、連結部材９の隙間１６からの抜け出しが防止される。
【００２４】
しかも、爪部１７の根元部分には凹部１８が形成されているので、連結部材９はその凹部１８内に入り込んで確実に爪部１７に引っ掛けられるようになる。更に、本実施形態では、第２連結部１１が第１連結部１０よりも右側に偏った位置に設けられているため、アッパーケース３をロアケース２に取り付けるには、当該アッパーケース３を表裏および上下を反転させる過程で右方に移動させる必要がある。このため、連結部材９は一対の掛け片部１５ｂのうち右側（図３では左側）の掛け片部１５ｂにより強く接するようになり、その右側の掛け片部１５ｂの凹部１８内により確実に入り込んで爪部１７に引っ掛けられるようになる。このため、連結部材９の外れをより一層確実に防止することができる。
【００２５】
また、アッパーケース３をロアケース２に被せた際、或いは被せた後、連結部材９が曲がって掛け片部１５ｂから抜け出ようとすることがあるが、このときにも、連結部材９は凹部１８内に入り込んで爪部１７に引っ掛けられるので、掛け片部１５ｂから外れることが効果的に防止される。勿論、第２連結部１１が第１連結部１０よりも右側に偏った位置に設けられていることにより、上述したと同様に、連結部材９は一対の掛け片部１５ｂのうち右側の掛け片部１５ｂにより強く接するので、その右側の掛け片部１５ｂの凹部１８内により確実に入り込んで爪部１７に引っ掛けられるようになる。このため、連結部材９の外れをより一層確実に防止することができる。
【００２６】
なお、本発明は上記し且つ図面に示す実施形態に限定されるものではなく、以下のような拡張或いは変更が可能である。
左側の第２連結部１１の抜け止め手段をカバー板７によらず、右側の第２連結部１１の抜け止め手段と同じ構成（爪部１７、凹部１８の付加）としても良い。
第１連結部１０、第２連結部１１の数は、２個に限られず、３個以上あっても良い。
掛け片部１５ｂの凹部１８は、傾斜状底面１８ａのない単純なコ字型或いはＵ字型のものであっても良い。
掛合片１５のＬ字形状は、基片部１５ａが垂直に立ち上がるものに限られず、傾斜していても良いし、掛け片部１５ｂもアッパーケース３の裏面３ｂと必ずしも平行でなくとも良く、連結部材９を掛け止め得るように基片部と掛け片部の二片を有するものであれば良い。
第１連結部１０は、ロアケース２の下側の側面部の内面に設けても良い。
【図面の簡単な説明】
【００２７】
【図１】本発明の一実施形態を、アッパーケースをロアケースから取り外して吊り下げた状態で示す筐体の正面図
【図２】アッパーケースをロアケースから取り外して吊り下げた状態で示す部分的な縦断側面図
【図３】一方の第２連結部の斜視図
【図４】他方の第２連結部の斜視図
【図５】一方の第２連結部を上下逆の状態で示すもので、（ａ）は正面図、（ｂ）は縦断側面図
【図６】カバー板を除去して示すアッパーケースの背面図
【符号の説明】
【００２８】
図面中、１は筐体、２はロアケース（第１ケース）、３はアッパーケース（第２ケース）、７はカバー板、９は連結部材、１０は第１連結部、１１は第２連結部、１２は受け片、１４は突片部、１５は掛合片，１５ａは基片部、１５ｂは掛け片部、１６は隙間、１７は爪部、１８は凹部である。
【図１】
2010056369.tif 000003
【図２】
2010056369.tif 000004
【図３】
2010056369.tif 000005
【図４】
2010056369.tif 000006
【図５】
2010056369.tif 000007
【図６】
2010056369.tif 000008